(57)【要約】【課題】画像品質の向上が可能な画像表示装置及びその制御方法を提供する。【解決手段】画像表示装置１は、回路基板１０と、回路基板１０に搭載された複数の発光素子１１と、発光素子１１から出射した光を反射し、回路基板１０上において複数の空間２０を形成し、空間２０のそれぞれは１以上の発光素子１１を取り囲む複数の区画部材１２と、複数の区画部材１２間に形成された不連続部分１３と、複数の区画部材１２上及び不連続部分１３上に設けられた液晶パネル１４と、複数の発光素子１１の配光分布に及ぼす不連続部分１３の影響を低減するように、液晶パネル１４を制御する制御回路３１と、を備える。【選択図】図３
2020154128.tif 000002
【特許請求の範囲】
【請求項１】
回路基板と、
前記回路基板に搭載された複数の発光素子と、
前記発光素子から出射した光を反射し、前記回路基板上において複数の空間を形成し、前記空間のそれぞれは１以上の前記発光素子を取り囲む複数の区画部材と、
前記複数の区画部材間に形成された不連続部分と、
前記複数の区画部材上及び前記不連続部分上に設けられた液晶パネルと、
前記複数の発光素子の配光分布に及ぼす前記不連続部分の影響を低減するように、前記液晶パネルを制御する制御回路と、
を備えた画像表示装置。
【請求項２】
前記制御回路は、前記液晶パネルの画素のうち、前記不連続部分に対向する画素の光の透過率を増加させる請求項１に記載の画像表示装置。
【請求項３】
前記制御回路は、前記配光分布に及ぼす前記不連続部分の影響を低減するように、前記発光素子を制御する請求項１または２に記載の画像表示装置。
【請求項４】
前記制御回路は、前記不連続部分の近傍に配置された前記発光素子の輝度を増加させる請求項３に記載の画像表示装置。
【請求項５】
前記不連続部分は隣り合う前記空間の間に位置し、
前記制御回路は、前記不連続部分を挟む前記空間に配置された前記発光素子の輝度を増加させ、前記液晶パネルにおける前記不連続部分を挟む前記空間に対向する画素の光の透過率を低減し、前記不連続部分に対向する画素の光の透過率を前記不連続部分を挟む前記空間に対向する画素の光の透過率よりも高くする請求項４に記載の画像表示装置。
【請求項６】
前記不連続部分は前記空間内に位置し、
前記制御回路は、前記不連続部分を含む前記空間に配置された前記発光素子の輝度を増加させ、前記液晶パネルの画素のうち、前記不連続部分における前記空間の間に位置する部分に対向する画素の光の透過率を前記不連続部分を含む前記空間に対向する画素の光の透過率よりも高くする請求項４に記載の画像表示装置。
【請求項７】
前記配光分布に及ぼす前記不連続部分の影響を低減するように、前記発光素子を制御する他の制御回路をさらに備えた請求項１または２に記載の画像表示装置。
【請求項８】
前記他の制御回路は、前記不連続部分の近傍に配置された前記発光素子の輝度を増加させる請求項７に記載の画像表示装置。
【請求項９】
前記不連続部分は、第１方向に延びる第１部分と、前記第１方向に対して交差した第２方向に延びる第２部分と、を含む請求項１〜８のいずれか１つに記載の画像表示装置。
【請求項１０】
前記区画部材と前記液晶パネルの間に設けられた光学シートをさらに備えた請求項１〜９のいずれか１つに記載の画像表示装置。
【請求項１１】
回路基板、前記回路基板に搭載された複数の発光素子、前記発光素子から出射した光を反射し、前記回路基板上において複数の空間を形成し、前記空間のそれぞれは１以上の前記発光素子を取り囲む複数の区画部材、前記複数の区画部材間に形成された不連続部分、並びに、前記複数の区画部材上及び前記不連続部分上に設けられた液晶パネルを含む画像表示装置の制御方法であって、
前記複数の発光素子の配光分布に及ぼす前記不連続部分の影響を低減するように、前記液晶パネルを制御する画像表示装置の制御方法。
【請求項１２】
前記配光分布に及ぼす前記不連続部分の影響を低減するように、前記発光素子を制御する請求項１１に記載の画像表示装置の制御方法。
【発明の詳細な説明】
【技術分野】
【０００１】
実施形態は、画像表示装置及びその制御方法に関する。
【背景技術】
【０００２】
画像表示装置のバックライトとして、複数の発光素子を用いた面光源が用いられている。特許文献１に記載されているように、画像表示装置が表示する画像のコントラストを向上させるために、バックライト用の面光源をローカルディミング制御する技術がある。ローカルディミング制御される画像表示装置においても、画像品質のより一層の向上が要求されている。
【先行技術文献】
【特許文献】
【０００３】
【特許文献１】特開２０１３−６８９０５号公報
【発明の概要】
【発明が解決しようとする課題】
【０００４】
実施形態は、画像品質の向上が可能な画像表示装置及びその制御方法を提供することを目的とする。
【課題を解決するための手段】
【０００５】
本発明の一実施形態に係る画像表示装置は、回路基板と、前記回路基板に搭載された複数の発光素子と、前記発光素子から出射した光を反射し、前記回路基板上において複数の空間を形成し、前記空間のそれぞれは１以上の前記発光素子を取り囲む複数の区画部材と、前記複数の区画部材間に形成された不連続部分と、前記複数の区画部材上及び前記不連続部分上に設けられた液晶パネルと、前記複数の発光素子の配光分布に及ぼす前記不連続部分の影響を低減するように、前記液晶パネルを制御する制御回路と、を備える。
【０００６】
本発明の一実施形態に係る画像表示装置の制御方法は、回路基板、前記回路基板に搭載された複数の発光素子、前記発光素子から出射した光を反射し、前記回路基板上において複数の空間を形成し、前記空間のそれぞれは１以上の前記発光素子を取り囲む複数の区画部材、前記複数の区画部材間に形成された不連続部分、並びに、前記複数の区画部材上及び前記不連続部分上に設けられた液晶パネルを含む画像表示装置の制御方法である。前記制御方法は、前記複数の発光素子の配光分布に及ぼす前記不連続部分の影響を低減するように、前記液晶パネルを制御する。
【発明の効果】
【０００７】
本発明の一実施形態によれば、画像品質の向上が可能な画像表示装置及びその制御方法を実現できる。
【図面の簡単な説明】
【０００８】
【図１Ａ】第１の実施形態に係る画像表示装置の区画部材及び発光素子を示す平面図である。
【図１Ｂ】図１Ａに示すＡ−Ａ’線による端面図である。
【図２】第１の実施形態に係る画像表示装置を示すブロック図である。
【図３】横軸に位置をとり、縦軸に画像表示装置から出射される光の強度、液晶パネルの画素の光の透過率、及び、発光素子の輝度をとって、第１の実施形態に係る画像表示装置の制御方法を示す図である。
【図４】横軸に位置をとり、縦軸に画像表示装置から出射される光の強度、液晶パネルの画素の光の透過率、及び、発光素子の輝度をとって、比較例に係る画像表示装置の制御方法を示す図である。
【図５Ａ】第２の実施形態に係る画像表示装置の区画部材及び発光素子を示す平面図である。
【図５Ｂ】図５Ａに示すＢ−Ｂ’線による端面図である。
【図６Ａ】第３の実施形態に係る画像表示装置の区画部材及び発光素子を示す平面図である。
【図６Ｂ】図６Ａに示すＣ−Ｃ’線による端面図である。
【図６Ｃ】図６Ａに示すＤ−Ｄ’線による端面図である。
【図７】横軸に位置をとり、縦軸に画像表示装置から出射される光の強度、液晶パネルの画素の光の透過率、及び、発光素子の輝度をとって、第３の実施形態に係る画像表示装置の制御方法を示す図である。
【図８】第４の実施形態に係る画像表示装置の区画部材及び発光素子を示す平面図である。
【図９Ａ】第５の実施形態に係る画像表示装置の区画部材及び発光素子を示す平面図である。
【図９Ｂ】図９Ａに示すＥ−Ｅ’線による端面図である。
【図１０Ａ】第６の実施形態に係る画像表示装置の区画部材及び発光素子を示す平面図である。
【図１０Ｂ】図１０Ａに示すＦ−Ｆ’線による端面図である。
【図１１】第７の実施形態に係る画像表示装置を示すブロック図である。
【図１２】第８の実施形態に係る画像表示装置を示すブロック図である。
【発明を実施するための形態】
【０００９】
＜第１の実施形態＞
図１Ａ、図１Ｂ及び図２に示すように、本実施形態に係る画像表示装置１は、回路基板１０と、回路基板１０に搭載された複数の発光素子１１と、発光素子１１から出射した光を反射し、回路基板１０上において複数の空間２０を形成し、空間２０のそれぞれは１以上の発光素子１１を取り囲む複数の区画部材１２と、複数の区画部材１２間に形成された不連続部分１３と、複数の区画部材１２上及び不連続部分１３上に設けられた液晶パネル１４と、複数の発光素子１１の配光分布に及ぼす不連続部分１３の影響を低減するように、液晶パネル１４を制御する制御回路３１と、を備える。
【００１０】
以下、詳細に説明する。
図１Ａ及び図１Ｂに示すように、画像表示装置１においては、回路基板１０が設けられている。回路基板１０の表面１０ａには、複数の発光素子１１が搭載されている。発光素子１１は行列状に規則的に配列されている。発光素子１１には、回路基板１０から電力が供給される。発光素子１１は、例えば、白色光を出射するＬＥＤ（Light Emitting Diode：発光ダイオード）である。本明細書では、回路基板１０の表面１０ａに平行な方向を「水平方向」ともいう。
【００１１】
回路基板１０上には、複数の区画部材１２が水平方向に沿って配列されている。隣り合う区画部材１２間の隙間が不連続部分１３となっている。例えば、区画部材１２は水平方向に沿って一列に配列されており、上面視で不連続部分１３の形状はライン状である。なお、図１Ａにおいては、不連続部分１３の位置を明確に示すために、不連続部分１３にハッチングを付している。後述する他の平面図においても、同様である。
【００１２】
各区画部材１２の形状は、全体的には板状であるが、発光素子１１毎に空間２０を形成するような凹凸が設けられている。本明細書では、回路基板１０から区画部材１２に向かう方向を「上」といい、その逆方向を「下」というが、この表現は便宜的なものであり、重力の方向とは無関係である。
【００１３】
各区画部材１２には、格子状の壁１２ａが設けられており、壁１２ａに囲まれた部分に底板１２ｂが設けられている。底板１２ｂの形状は矩形であり、回路基板１０の表面１０ａに接している。底板１２ｂの中心には開口部１２ｃが形成されている。各開口部１２ｃ内には１つの発光素子１１が配置されている。壁１２ａは、底板１２ｂの端縁と連続しており、上方に向かうほど、最も近い発光素子１１から水平方向に離れるように、傾斜している。
【００１４】
壁１２ａ及び底板１２ｂによって、空間２０が形成されている。各区画部材１２は複数の空間２０を形成する。各空間２０の形状は、例えば、上面が開口した逆四角錐台形である。各空間２０は、例えば１つの発光素子１１を取り囲んでいる。なお、後述する第４及び第５の実施形態において説明するように、各空間２０は２以上の発光素子１１を取り囲んでもよい。区画部材１２は白色であり、発光素子１１から出射した光を反射する。例えば、各区画部材１２は、白色の樹脂材料により一体的に形成されている。そして、区画部材１２間の不連続部分１３は、空間２０の間、すなわち、壁１２ａの最上部の間に位置している。
【００１５】
区画部材１２は、射出成型やプレス成型等の方法により形成される。区画部材１２は全体的に板状であることから、形成時のサイズが大きくなるほど反りやうねりが大きくなり、画像表示装置１の発光品位に影響が出る虞がある。このため、区画部材１２を形成する際には、画像表示装置１の発光品位に影響が出ない程度に反りやうねりを抑えられる大きさとする必要がある。したがって、画像表示装置１のサイズが大きい場合には、複数の区画部材１２を回路基板１０上に載置する必要があるが、区画部材１２の外形サイズの精度および組立誤差により、隣り合う区画部材１２間に隙間が生じることがある。この隙間が不連続部分１３である。
【００１６】
複数の区画部材１２上及び不連続部分１３上には、液晶パネル１４が設けられている。液晶パネル１４には、複数の画素が設けられており、画素毎に光の透過率を制御可能である。水平方向における空間２０のサイズは、例えば、１〜２ｃｍであり、画素のサイズよりもはるかに大きい。水平方向において、１つの空間２０には数百個の画素が対向している。上面視では、１つの空間２０に数万個の画素が対向している。
【００１７】
液晶パネル１４と区画部材１２との間には、光学シート１５が備えられている。光学シート１５は、例えば、プリズムシート１５ａ及び拡散シート１５ｂが積層されている。光学シート１５は、プリズムシート１５ａ及び拡散シート１５ｂ以外のシートを含んでいてもよい。なお、図１Ｂにおいては、図示の便宜上、区画部材１２と光学シート１５とが大きく離隔して描かれているが、区画部材１２と光学シート１５との隙間はより小さくてもよく、区画部材１２は光学シート１５に接していてもよい。また、必要とされる光学性能に応じて、プリズムシート１５ａ及び拡散シート１５ｂが複数枚備えられていてもよい。後述する他の端面図においても、同様である。
【００１８】
図２に示すように、画像表示装置１には、制御部３０が設けられている。制御部３０には、制御回路３１、記憶部３２、光源駆動回路３３及び液晶駆動回路３４が設けられている。制御回路３１には、外部から画像信号が入力される。記憶部３２には、不連続部分１３の位置に関する情報が記憶されている。光源駆動回路３３は、制御回路３１から出力された制御信号に基づいて、回路基板１０を介して、発光素子１１を個別に制御する。液晶駆動回路３４は、制御回路３１から出力された制御信号に基づいて、液晶パネル１４の各画素の光の透過率を制御する。
【００１９】
次に、本実施形態に係る画像表示装置１の制御方法について説明する。
図３は、横軸に位置をとり、縦軸に画像表示装置から出射される光の強度、液晶パネルの画素の光の透過率、及び、発光素子の輝度をとって、本実施形態に係る画像表示装置の制御方法を示す図である。なお、図３には、画像表示装置１の端面図も示している。
【００２０】
制御回路３１が光源駆動回路３３を制御し、光源駆動回路３３が回路基板１０を介して発光素子１１に電力を供給すると、発光素子１１は光を出射する。発光素子１１から出射した光の一部は直接、他の一部は区画部材１２によって反射されて、光学シート１５に入射する。光学シート１５に入射した光は、光学シート１５及び液晶パネル１４を透過して、外部に出射する。
【００２１】
このとき、区画部材１２が各発光素子１１を取り囲む空間２０を形成しているため、ある発光素子１１から出射した光の大部分は、この発光素子１１を囲む空間２０に対向する画素に入射する。一方、空間２０内では、発光素子１１から出射した光が区画部材１２の壁１２ａ及び底板１２ｂによって反射され、拡散シート１５ｂによって拡散されるため、液晶パネル１４に入射する光の強度は略均一である。このため、発光素子１１の輝度を個別に制御することにより、液晶パネル１４における空間２０に対向する領域の基準となる明るさを、空間２０毎に制御することができる。
【００２２】
外部から制御回路３１に画像信号が入力されると、制御回路３１は液晶駆動回路３４を制御して、液晶パネル１４の各画素の光の透過率（以下、単に「透過率」ともいう）を制御する。これにより、液晶パネル１４に画像を表示することができる。画像に暗い領域が存在するときは、制御回路３１は光源駆動回路３３を制御して、この暗い領域に対応する発光素子１１の輝度を低下させると共に、液晶駆動回路３４を制御して、画素の透過率も発光素子１１の輝度に連動させて変化させる。この結果、画像の暗い領域においても階調を微細に表現できると共に、最も暗い領域をより暗く表示することができ、画像のコントラストが向上する。
【００２３】
以下、不連続部分１３が表示画像に及ぼす影響と、その対策について説明する。
不連続部分１３には区画部材１２が配置されていないため、液晶パネル１４における不連続部分１３に対向する領域に入射する光は、他の領域よりも少ない。このため、何らかの対策を施さなければ、液晶パネル１４における不連続部分１３に対向する領域が周囲よりも暗くなり、スジ状のムラとして認識されてしまう。
【００２４】
そこで、画像表示装置１においては、不連続部分１３に起因するスジ状のムラを解消又は軽減するための補正を行う。制御部３０の制御回路３１は、複数の発光素子１１の配光分布に及ぼす不連続部分１３の影響を低減するように、発光素子１１及び液晶パネル１４を制御する。
【００２５】
以下、この補正方法について具体的に説明する。
制御回路３１は、記憶部３２に記憶された情報を参照して不連続部分１３の位置を認識する。そして、制御回路３１は、光源駆動回路３３及び回路基板１０を介して、不連続部分１３を挟む位置に配置された空間２０内に位置する発光素子１１の輝度を増加させる。図３においては、不連続部分１３を挟む位置に配置された空間２０を「空間２０ａ」とし、それ以外の空間２０を「空間２０ｂ」とする。また、空間２０ａ内に配置された発光素子１１を「発光素子１１ａ」とし、空間２０ｂ内に配置された発光素子１１を「発光素子１１ｂ」とする。空間２０ａは不連続部分１３に接しており、空間２０ｂと不連続部分１３との間には空間２０ａが介在している。発光素子１１ａは不連続部分１３の近傍に配置され、隣り合う発光素子１１ａによって不連続部分１３を挟んでいる。
【００２６】
制御回路３１は、液晶駆動回路３４を介して、液晶パネル１４における空間２０ａに対向する画素の光の透過率を低減する。また、不連続部分１３に対向する画素の透過率を、空間２０ａに対向する画素の透過率よりも高くする。
【００２７】
これにより、表示画像における不連続部分１３に対向する領域については、発光素子１１ａの輝度が増加することにより、他の領域よりも暗くなることを抑制できる。一方、空間２０ａに対向する領域については、画素の透過率を低減するため、発光素子１１ａの輝度が増加した影響を相殺できる。このようにして、不連続部分１３に起因するスジ状のムラが解消又は軽減され、液晶パネル１４から出射される光の強度分布が均一になる。この結果、表示画像の品質が向上する。
【００２８】
＜比較例＞
図４は、横軸に位置をとり、縦軸に画像表示装置から出射される光の強度、液晶パネルの画素の光の透過率、及び、発光素子の輝度をとって、本比較例に係る画像表示装置の制御方法を示す図である。なお、図４には、液晶表示装置１０１の端面図も示している。
【００２９】
本比較例に係る液晶表示装置１０１において、回路基板１０、発光素子１１、区画部材１２、不連続部分１３、液晶パネル１４及び光学シート１５の構成は、第１の実施形態と同様である。本比較例においては、不連続部分１３が表示画像に及ぼす影響について、第１の実施形態のような対策を施さない。
【００３０】
すなわち、図４に示すように、発光素子１１の輝度は均一とする。また、液晶パネル１４の画素の光の透過率は、表示画像に応じて制御するが、表示画像の明るさが均一であれば、画素の透過率も均一とする。すると、液晶パネル１４における不連続部分１３に対向する領域は、区画部材１２に対向していないため、この領域から出射する光の強度が周囲よりも低くなる。この結果、表示画像においては、不連続部分１３に対向した位置が暗くなり、スジ状のムラとして認識されてしまう。
【００３１】
＜第２の実施形態＞
図５Ａは、本実施形態に係る画像表示装置の区画部材及び発光素子を示す平面図であり、図５Ｂは、図５Ａに示すＢ−Ｂ’線による端面図である。
【００３２】
図５Ａ及び図５Ｂに示すように、本実施形態に係る画像表示装置２においては、各区画部材１２の形状が矩形であり、回路基板１０上に複数の区画部材１２が行列状に配列されている。この場合、不連続部分１３の形状は、上面視で格子状となる。画像処理装置２においては、区画部材１２が配列された２方向について、第１の実施形態と同様な補正を行う。
本実施形態における上記以外の構成、制御方法及び効果は、前述の第１の実施形態と同様である。
【００３３】
＜第３の実施形態＞
図６Ａは、本実施形態に係る画像表示装置の区画部材及び発光素子を示す平面図であり、図６Ｂは、図６Ａに示すＣ−Ｃ’線による端面図であり、図６Ｃは、図６Ａに示すＤ−Ｄ’線による端面図である。
【００３４】
図６Ａ〜図６Ｃに示すように、本実施形態に係る画像表示装置３においては、不連続部分１３が空間２０内に位置している。そして、一部の発光素子１１は、不連続部分１３内に配置されている。本実施形態においても、第２の実施形態と同様に、各区画部材１２の形状は矩形であり、回路基板１０上に複数の区画部材１２が行列状に配列されている。このため、不連続部分１３の形状は、上面視で格子状である。本実施形態においては、不連続部分１３のうち、空間２０内に位置する部分を「空間内部分１３ａ」とし、隣り合う空間２０の間に位置する部分を「空間外部分１３ｂ」とする。空間外部分１３ｂは、不連続部分１３と区画部材１２の稜線とが交差する点及びその周辺の領域である。
【００３５】
次に、本実施形態に係る画像表示装置３の制御方法について説明する。
図７は、横軸に位置をとり、縦軸に画像表示装置から出射される光の強度、液晶パネルの画素の光の透過率、及び、発光素子の輝度をとって、本実施形態に係る画像表示装置の制御方法を示す図である。なお、図７には、画像表示装置３の端面図も示している。
【００３６】
本実施形態においては、不連続部分１３を含む空間２０を「空間２０ａ」とし、それ以外の空間２０を「空間２０ｂ」とする。また、空間２０ａ内に配置された発光素子１１を「発光素子１１ａ」とし、空間２０ｂ内に配置された発光素子１１を「発光素子１１ｂ」とする。本実施形態においては、例えば、発光素子１１ａは不連続部分１３内に配置されている。
【００３７】
液晶パネル１４のうち、空間２０ａに対向する領域は、不連続部分１３が存在するため、区画部材１２によって反射されて入射する光が少ない。不連続部分１３の空間外部分１３ｂに対向する領域は、空間２０ａに対向する領域よりも、入射する光が少ない。このため、何も対策を施さなければ、表示画像における空間２０ａに対向する領域は、他の領域よりも暗くなる。不連続部分１３の空間外部分１３ｂに対向する領域は、空間２０ａに対向する領域よりも更に暗くなる。
【００３８】
そこで、本実施形態においては、図７に示すように、画像表示装置３の制御回路３１が、空間２０ａに含まれる発光素子１１ａの輝度を空間２０ｂに含まれる発光素子１１ｂの輝度よりも高くする。これにより、不連続部分１３の存在による区画部材１２の反射光の減少を補償する。
【００３９】
また、制御回路３１は、液晶パネル１４の画素のうち、図７に破線で示す空間外部分１３ｂに対向する画素の透過率を、図７に実線で示す空間２０ａに対向する画素の透過率よりも高くする。これにより、表示画像における空間外部分１３ｂに対向する領域が空間２０ａに対向する領域よりも暗くなることを抑制する。
【００４０】
このとき、各画素の透過率は、発光素子１１ａの輝度とのバランスによって決定する。
図７に示す例では、発光素子１１ａの輝度を、空間外部分１３ｂに対向する領域を補償できるように、十分に高くしている。この場合は、空間外部分１３ｂに対向する画素の透過率を空間２０ｂに対向する画素の透過率と同程度とすると共に、空間２０ａに対向する領域が明るくなりすぎないように、空間２０ａに対向する画素の透過率を空間２０ｂに対向する画素の透過率よりも低くする。
【００４１】
一方、発光素子１１ａの輝度を、空間２０ａに対向する領域を補償できる程度に、抑制して増加させてもよい。この場合は、空間２０ａに対向する画素の透過率は、空間２０ｂに対向する画素の透過率と同程度とすると共に、空間外部分１３ｂに対向する領域を補償するために、空間外部分１３ｂに対向する画素の透過率を空間２０ａに対向する画素の透過率よりも高くする。
【００４２】
又は、発光素子１１ａの輝度を、空間外部分１３ｂに対向する領域を補償できる輝度と空間２０ａに対向する領域を補償できる輝度の中間の輝度としてもよい。このような発光素子１１ａの輝度と画素の透過率とのバランスは、様々な事情を考慮して調整することができる。例えば、消費電力と画質のバランスによって決定してもよく、表示画像の特性に応じて決定してもよい。
【００４３】
このようにして、本実施形態においても、発光素子１１の輝度と液晶パネル１４の画素の透過率を連動させることにより、複数の発光素子１１の配光分布に及ぼす不連続部分１３の影響を低減することができ、液晶パネル１４から出射される光の強度分布を均一にすることができる。
本実施形態における上記以外の構成及び効果は、前述の第１の実施形態と同様である。
【００４４】
＜第４の実施形態＞
図８は、本実施形態に係る画像表示装置の区画部材及び発光素子を示す平面図である。
【００４５】
図８に示すように、本実施形態に係る画像表示装置４においては、各区画部材１２の形状が矩形ではなく、不連続部分１３がジグザグに延びている。すなわち、不連続部分１３は、図８の横方向である第１方向に延びる第１部分１３ｃと、図８の縦方向である第２方向に延びる第２部分１３ｄを有している。第２方向は第１方向に対して交差しており、例えば、直交している。第１部分１３ｃと第２部分１３ｄが直列に結合されることにより、１本のジグザグな不連続部分１３を形成している。
本実施形態における上記以外の構成、制御方法及び効果は、前述の第１の実施形態と同様である。
【００４６】
＜第５の実施形態＞
図９Ａは、本実施形態に係る画像表示装置の区画部材及び発光素子を示す平面図であり、図９Ｂは、図９Ａに示すＥ−Ｅ’線による端面図である。
【００４７】
図９Ａ及び図９Ｂに示すように、本実施形態に係る画像表示装置５においては、各空間２０内に２つの発光素子１１が配置されている。画像表示装置５においては、同じ空間２０に含まれる２つの発光素子１１を１つのグループとして扱い、同じ輝度に制御する。
本実施形態における上記以外の構成、制御方法及び効果は、前述の第１の実施形態と同様である。
【００４８】
＜第６の実施形態＞
図１０Ａは、本実施形態に係る画像表示装置の区画部材及び発光素子を示す平面図であり、図１０Ｂは、図１０Ａに示すＦ−Ｆ’線による端面図である。
【００４９】
図１０Ａ及び図１０Ｂに示すように、本実施形態に係る画像表示装置６においては、各空間２０内に４つの発光素子１１が配置されている。各空間２０内に配置された４つの発光素子１１は、例えば、２行２列に配列されている。画像表示装置６においては、同じ空間２０に含まれる４つの発光素子１１を１つのグループとして扱い、同じ輝度に制御する。
本実施形態における上記以外の構成、制御方法及び効果は、前述の第１の実施形態と同様である。
【００５０】
＜第７の実施形態＞
図１１は、本実施形態に係る画像表示装置を示すブロック図である。
【００５１】
図１１に示すように、本実施形態に係る画像表示装置７においては、光源を制御する光源制御部３０ａと、液晶パネル１４を制御する液晶制御部３０ｂが別々に設けられている。光源制御部３０ａには、光源側の制御回路３１ａ及び光源駆動回路３３が設けられている。液晶制御部３０ｂには、液晶側の制御回路３１ｂ及び液晶駆動回路３４が設けられている。また、画像表示装置７には、光源制御部３０ａと液晶制御部３０ｂとで共有される記憶部３２が設けられている。記憶部３２には、不連続部分１３の位置に関する情報が記憶されている。
【００５２】
光源側の制御回路３１ａは、外部から画像信号が入力され、記憶部３２に記憶された情報を参照して、光源駆動回路３３に対して制御信号を出力する。これにより、制御回路３１ａは、複数の発光素子１１の配光分布に及ぼす不連続部分１３の影響を低減するように、発光素子１１を制御する。
【００５３】
液晶側の制御回路３１ｂは、外部から画像信号が入力されて、記憶部３２に記憶された情報を参照して、液晶駆動回路３４に対して制御信号を出力する。これにより、制御回路３１ｂは、複数の発光素子１１の配光分布に及ぼす不連続部分１３の影響を低減するように、液晶パネル１４を制御する。
【００５４】
このようにして、本実施形態に係る画像表示装置７においては、光源制御部３０ａの制御回路３１ａと液晶制御部３０ｂの制御回路３１ｂが独立して作動することにより、第１の実施形態における制御回路３１と同様な制御を実現し、不連続部分１３に起因するスジ状のムラを解消又は軽減する。なお、光源側の制御回路３１ａに入力される画像信号と液晶側の制御回路３１ｂに入力される画像信号は、同じであってもよく、異なっていてもよい。本実施形態における上記以外の構成、制御方法及び効果は、前述の第１の実施形態と同じである。
【００５５】
＜第８の実施形態＞
図１２は、本実施形態に係る画像表示装置を示すブロック図である。
図１２に示すように、本実施形態に係る画像表示装置８においては、光源制御部３０ａ及び液晶制御部３０ｂにそれぞれ独立して記憶部３２ａ及び記憶部３２ｂが設けられている。記憶部３２ａに記憶された情報と記憶部３２ｂに記憶された情報は、同じであってもよく、異なっていてもよい。本実施形態における上記以外の構成、制御方法及び効果は、前述の第７の実施形態と同様である。
【００５６】
上述の各実施形態は、相互に組み合わせて実施することができる。例えば、第３の実施形態のように、不連続部分１３が空間２０内を通過する画像表示装置において、第４の実施形態のように、不連続部分１３がジグザグに延びていてもよく、第５及び第６の実施形態のように、各空間２０内に複数の発光素子１１が配置されていてもよい。また、第５及び第６の実施形態のように、各空間２０内に複数の発光素子１１が配置された画像表示装置において、第４の実施形態のように、不連続部分１３がジグザグに延びていてもよい。
【産業上の利用可能性】
【００５７】
本発明は、例えば、テレビ受像器及びホームシアター等の画像表示装置に利用することができる。
【符号の説明】
【００５８】
１、２、３、４、５、６、７、８：画像表示装置
１０：回路基板
１０ａ：表面
１１、１１ａ、１１ｂ：発光素子
１２：区画部材
１２ａ：壁
１２ｂ：底板
１２ｃ：開口部
１３：不連続部分
１３ａ：空間内部分
１３ｂ：空間外部分
１３ｃ：第１部分
１３ｄ：第２部分
１４：液晶パネル
１５：光学シート
１５ａ：プリズムシート
１５ｂ：拡散シート
２０、２０ａ、２０ｂ：空間
３０：制御部
３０ａ：光源制御部
３０ｂ：液晶制御部
３１、３１ａ、３１ｂ：制御回路
３２、３２ａ、３２ｂ：記憶部
３３：光源駆動回路
３４：液晶駆動回路
１０１：液晶表示装置
【図１Ａ】
2020154128.tif 000003
【図１Ｂ】
2020154128.tif 000004
【図２】
2020154128.tif 000005
【図３】
2020154128.tif 000006
【図４】
2020154128.tif 000007
【図５Ａ】
2020154128.tif 000008
【図５Ｂ】
2020154128.tif 000009
【図６Ａ】
2020154128.tif 000010
【図６Ｂ】
2020154128.tif 000011
【図６Ｃ】
2020154128.tif 000012
【図７】
2020154128.tif 000013
【図８】
2020154128.tif 000014
【図９Ａ】
2020154128.tif 000015
【図９Ｂ】
2020154128.tif 000016
【図１０Ａ】
2020154128.tif 000017
【図１０Ｂ】
2020154128.tif 000018
【図１１】
2020154128.tif 000019
【図１２】
2020154128.tif 000020